(57)【要約】【課題】８ｃｍの２層の光ディスクに、リアルタイムレコーディング中に、やむを得ずシーンを分割して記録した２シーンのＤＶＤ−Ｖｉｄｅｏストリームのデータを、１２ｃｍの１層の光ディスクにダビングする際、ユーザーに特別な操作をしてもらうことなく、２つのシーンを結合し、１つのＤＶＤ−Ｖｉｄｅｏストリームのデータとすることのできる光ディスク記録再生装置を提供する。【解決手段】分割した２つのシーンを関連付けられる管理情報をディスクに記録する。また、ファイナライズ時には、１つのシーンであるように見せるためのシーン結合時用管理情報をディスクに記録しておく。これらの管理情報にアクセスできる手段を持っておくことにより、ハードディスクなどの記録媒体にデータを取り込む際に、最初から１つのシーンとして、データを取り込ませることにより、ダビング作業を容易にすることができる。【選択図】図１
2009140594.tif 000002
【特許請求の範囲】
【請求項１】
少なくとも２層以上の記録層を有する光ディスクに映像音声データを記録、再生する機器であって、
前記光ディスクの記録層が切り替わる際にシーン情報を分割するシーン分割部と、
前記分割したシーンを関連付けし、関連シーン情報を前記光ディスクに記録する関連シーン情報記録部と、
を備えることを特徴とする光ディスク記録再生装置。
【請求項２】
少なくとも２層以上の記録層を有する光ディスクに映像音声データを記録、再生する機器であって、
前記光ディスクに記録されている前記関連シーン情報から、
分割されている２つのシーンを１つのシーンとして結合する関連シーン認識結合部を備えることを特徴とする光ディスク記録再生装置。
【請求項３】
前記映像音声データは、ＤＶＤ−Ｖｉｄｅｏ規格データであることを特徴とする請求項１に記載の光ディスク記録再生装置。
【請求項４】
前記シーン分割部は、ＤＶＤ−Ｖｉｄｅｏ規格でのＶＴＳ（Ｖｉｄｅｏ  Ｔｉｔｌｅ  Ｓｅｔ）単位で分割することを特徴とする請求項３に記載の光ディスク記録再生装置。
【請求項５】
前記映像音声データは、ＤＶＤ−Ｖｉｄｅｏ規格データであることを特徴とする請求項２に記載の光ディスク記録再生装置。
【請求項６】
前記関連シーン認識結合部は、ＤＶＤ−Ｖｉｄｅｏ規格でのＶＴＳ（Ｖｉｄｅｏ  Ｔｉｔｌｅ  Ｓｅｔ）単位で結合することを特徴とする請求項５に記載の光ディスク記録再生装置。
【請求項７】
前記関連シーン認識結合部は、分割した２つのＶＴＳを結合させたＶＴＳＩ（Ｖｉｄｅｏ  Ｔｉｔｌｅ  Ｓｅｔ  Ｉｎｆｏｒｍａｔｉｏｎ）と、分割されたシーンの次に記録されたＶＴＳ以降のＶＴＳ番号の値がひとつ小さな値であるファイル名として持つファイルシステム情報とビデオマネージャー情報とを計算することを特徴とする請求項６に記載の光ディスク記録再生装置。
【請求項８】
前記関連シーン認識結合部は、ファイルシステムのリード要求があった場合は計算されたファイルシステムのアドレスに変換し、結合されたシーンのＶＴＳＩのリード要求があった場合は計算されたＶＴＳＩのアドレスに変換し、結合されたＶＯＢ（Ｖｉｄｅｏ  Ｏｂｊｅｃｔ）のリード要求があった場合は実際にＶＯＢのデータが記録されているアドレスに変換したあとデータリードを行い、その後リードしたデータのＮＶ＿ＰＣＫ情報内のＶＴＳ数をひとつ小さな値に変更することを特徴とする請求項７に記載の光ディスク記録再生装置。
【発明の詳細な説明】
【技術分野】
【０００１】
本発明は、映像信号および音声信号を光ディスクに記録、再生する方法に関し、特に映像音声データをリアルタイムに記録する機器において、記録時に分割したシーンを、外部機器には１つの結合したシーンとして認識させる方法に関するものである。
【背景技術】
【０００２】
ビデオカメラにおいて、撮影シーンをＤＶＤに記録できるＤＶＤビデオカメラがある。記録媒体としては、繰り返し記録可能なＤＶＤ−ＲＡＭ、ＤＶＤ−ＲＷ、ＤＶＤ＋ＲＷ、１回だけ記録が可能なＤＶＤ−Ｒ、ＤＶＤ＋Ｒがある。モバイル機器であるため、ディスクの大きさは、直径８ｃｍのディスク（１層で片面１．４ＧＢｙｔｅ）のみ対応している。近年、ＤＶＤ−Ｒにおいては、片面２層のＤＶＤ−Ｒ  Ｄｕａｌ  Ｌａｙｅｒ（以下、ＤＶＤ−Ｒ  ＤＬ）（容量は片面２．６ＧＢｙｔｅ）が実用化されている。両面のディスクに比べると、ディスクを取り外して裏返すことなく、連続して１層ディスクの約２倍の撮影ができるというメリットがある。
【０００３】
ここで、ＤＶＤ−Ｒにおいては、ＤＶＤ−Ｖｉｄｅｏとの互換性を確保するために、ＤＶＤ−Ｖｉｄｅｏ規格に準拠しながら、リアルタイムレコーディングを行う必要がある。ＤＶＤ−Ｖｉｄｅｏ規格においては、ディスクの層の切り替わりでは、Ｖｉｄｅｏ  Ｏｂｊｅｃｔ（以下、ＶＯＢ）を分割しなければならない。映画などのＤＶＤ−Ｖｉｄｅｏ  Ｄｉｓｃの場合は、オーサリング時にちょうどＶＯＢが分割されるようにデータを作成することができるが、ビデオカメラで撮影されたデータを可変ビットレートで効率よく圧縮して記録する場合は、シーンの状況に応じて圧縮率が変わるため、記録データ量がいくらになるのかを予測することができない。このため、１層目の記録可能な残りデータ量にあわせてＶＯＢデータを生成することができない。
【０００４】
また、ＤＶＤ−Ｖｉｄｅｏ規格においては、１つのシーンのデータは、連続したアドレスに配置されていなければならない。ＤＶＤ−Ｒの記録可能位置には、すでにアドレスが割り当てられているため、１層目をすべて記録し終わることなく２層目の記録に移行することはできない。
【０００５】
このため、ＤＶＤ−Ｒ  ＤＬにリアルタイムレコーディングを行う場合は、層の切り替わりでＶｉｄｅｏ  Ｔｉｔｌｅ  Ｓｅｔ（以下、ＶＴＳ）を分割することにより、ＶＯＢを分割し、記録を行うのが一般的な記録方法となる。この場合、撮影シーンとしては連続したシーンであるにも関わらず、タイトルが２つに分割されてしまうため、２つのシーンとなってしまう。
【０００６】
このようにタイトルが２つになってしまうと、ユーザーにとっては１つのシーンを記録したにもかかわらず、ＤＶＤ−Ｖｉｄｅｏ  Ｐｌａｙｅｒによっては、サムネイルが２つ表示されたり、再生時には分割点で映像が数秒停止する要因となる。
【０００７】
ところで、１２ｃｍのディスクの片面１層の容量は４．７ＧＢｙｔｅで、８ｃｍのＤＶＤ−Ｒ  ＤＬの容量（２．６ＧＢｙｔｅ）よりも十分大きい。８ｃｍディスクから１２ｃｍディスクにデータをダビングする場合は、２つのシーンに分割しておく必要はない。１つのシーンとしてデータをダビングする際は、図１３に示すように、パソコンなどの外部機器を用意し、一端ハードディスクなどの記録媒体に２つのシーンデータを取り込む。そして、デジタル音声映像情報の編集方法で示されるシーンの結合処理を行う必要があった。（例えば、特許文献１参照）
【特許文献１】特開２００３−４５１６１号公報
【発明の開示】
【発明が解決しようとする課題】
【０００８】
しかしながら、シーンを選択して記憶媒体に取り込む必要があるのと、デジタル音声映像情報の編集方法では結合する複数のシーンの先頭と終端を指定する必要があり、１２ｃｍディスクのデータを作成することは、ユーザーにとっては、手間のかかる作業を強いられるという課題を有していた。
【０００９】
本発明は、前記従来の課題を解決するもので、２つのシーンとして記録を行うが、ユーザーに特別な操作をしてもらうことなく１つの連続したシーンのデータを作成し、ダビング用のデータとして外部機器に認識させることができるようにした光ディスク記録再生装置を提供することを目的とする。
【課題を解決するための手段】
【００１０】
前記従来の課題を解決するために、本発明の光ディスク記録再生装置は、少なくとも２層以上の記録層を有する光ディスクに映像音声データを記録、再生する機器であって、前記光ディスクの記録層が切り替わる際にシーン情報を分割するシーン分割部と、前記分割したシーンを関連付けし、関連シーン情報を前記光ディスクに記録する関連シーン情報記録部と、を備えたことを特徴としたものである。
【００１１】
さらに、本発明の光ディスク記録再生装置は、少なくとも２層以上の記録層を有する光ディスクに映像音声データを記録、再生する機器であって、前記光ディスクに記録されている前記関連シーン情報から、分割されている２つのシーンを１つのシーンとして結合する関連シーン認識結合部を備えることを特徴としたものである。
【００１２】
また、本発明の光ディスク記録再生装置は、前記映像音声データは、ＤＶＤ−Ｖｉｄｅｏ規格データであることを特徴としたものである。
【００１３】
また、本発明の光ディスク記録再生装置は、前記シーン分割部と前記関連シーン認識結合部は、ＤＶＤ−Ｖｉｄｅｏ規格でのＶＴＳ（Ｖｉｄｅｏ  Ｔｉｔｌｅ  Ｓｅｔ）単位で分割することを特徴としたものである。
【００１４】
また、本発明の光ディスク記録再生装置は、前記関連シーン認識結合部は、分割した２つのＶＴＳを結合させたＶＴＳＩ（Ｖｉｄｅｏ  Ｔｉｔｌｅ  Ｓｅｔ  Ｉｎｆｏｒｍａｔｉｏｎ）と、分割されたシーンの次に記録されたＶＴＳ以降のＶＴＳ番号の値がひとつ小さな値であるファイル名として持つファイルシステム情報とビデオマネージャー情報とを計算することを特徴としたものである。
【００１５】
また、本発明の光ディスク記録再生装置は、前記関連シーン認識結合部は、ファイルシステムのリード要求があった場合は計算されたファイルシステムのアドレスに変換し、結合されたシーンのＶＴＳＩのリード要求があった場合は計算されたＶＴＳＩのアドレスに変換し、結合されたＶＯＢ（Ｖｉｄｅｏ  Ｏｂｊｅｃｔ）のリード要求があった場合は実際にＶＯＢのデータが記録されているアドレスに変換したあとデータリードを行い、その後リードしたデータのＮＶ＿ＰＣＫ情報内のＶＴＳ数をひとつ小さな値に変更することを特徴としたものである。
【発明の効果】
【００１６】
本発明の光ディスク記録再生装置によれば、記録時に自機の都合でやむを得ず２つに分割したシーンのデータを、ユーザーに特別な操作をしてもらうことなく１つのシーンとして認識させることができる。
【発明を実施するための最良の形態】
【００１７】
以下に、本発明の光ディスク記録再生装置の実施の形態を図面とともに詳細に説明する。
（実施の形態）
【００１８】
１．基本動作説明
図１は、本発明の光ディスク記録再生装置の実施の形態を示すブロック図である。
【００１９】
撮影時の映像・音声データからなる記録データ２００をＤＶＤ−Ｒ  ＤＬ１１４に記録中に、ＤＶＤ−Ｒ  ＤＬ１１４の記録層をまたがって記録する場合は、シーン分割部２０１により、記録データ２００が複数に分割される。その時、関連シーン情報記録部２０２は、分割されたシーンそれぞれを関連付けし、その情報を関連シーン情報２０３としてＤＶＤ−Ｒ  ＤＬ１１４に記録する。
【００２０】
再生時においては、ＤＶＤ−Ｒ  ＤＬ１１４から読み込まれたデータを再生中に、関連シーン認識結合部２０４で関連シーン情報２０３を認識した際に、関連付けされた複数のシーンを一つのシーンとして再生する。
【００２１】
このようにすることで、層の区切りで分割されたシーンの再生においても、一つのシーンとして再生することが出来る。
【００２２】
また、図示はしないが、８ｃｍＤＶＤ−Ｒ  ＤＬ１１４より記録容量の大きな１２ｃｍのＤＶＤ−Ｒやハードディスク等にコピーする際にも、関連シーン認識結合部２０４により結合された１つのシーンを記録すれば、不必要なシーン分割の無いデータが作成できる。
【００２３】
２．光ディスク記録再生装置の説明
図２は、本発明の光ディスク記録再生装置を構成するデータ制御デバイスのブロック図の一例である。ユーザー１１０からＵｓｅｒ  Ｉ／Ｆ１１２により記録開始が指示されると、ＣＰＵ１０４はこれを認識し、ＣＣＤとマイク１１１から取り込まれる映像と音声をＭＰＥＧエンコーダー１１３によりＭＰＥＧデータにエンコードし、ストリームバッファ１０３に格納する。このストリームバッファ１０３に取り込んだデータに対し、ビデオフォーマットに必要なデータを上書きし、ＡＴＡＰＩ  Ｉ／Ｆ１０２を経由してＤＶＤドライブ部１０１にストリームデータを送信し、８ｃｍディスク１１４に記録を行う。このようにして、リアルタイムレコーディングを行う。
【００２４】
本例の光ディスク記録再生装置はＵＳＢ接続でパソコン１０９と接続することができる。パソコン１０９とＵＳＢコネクタ１０８がＵＳＢケーブルで接続された場合、パソコン１０９にデータを転送する場合は、パソコン１０９からデータのリード要求をＵＳＢコネクタ１０８とバスドライバ１０７とＵＳＢコントローラ１０５経由でＣＰＵ１０４が受け、パソコン１０９が必要としているデータを解釈し、ＤＶＤドライブ部１０１にリードコマンドを発行し、返送されたデータをＵＳＢコントローラ１０５内のバッファ１０６とバスドライバ１０７とＵＳＢコネクタ１０８経由でパソコン１０９に転送する。このようにして、外部機器であるパソコン１０９にストリームデータを認識させる。
【００２５】
以上が基本的な記録、再生のシーケンスであるが、以下に、さらに具体的な記録データ、再生データの扱い方を記述する。
【００２６】
３．記録時（撮影時）
図３は、実際に記録するデータのディスク上のアドレス位置と、パソコン１０９に認識させるディスク上のデータのアドレスを示した図である。
【００２７】
最初に、ユーザー１１０から記録開始が指示されると、ＦＳ、ＶＭＧ情報を記録するためのＲＺｏｎｅ１を予約し、ＶＴＳ１のデータの記録を開始する。ＲＺｏｎｅ１の予約領域は、従来のサイズの２倍＋ＶＴＳＩサイズ分の容量を予約する。ファイナライズ時に、２種類のＦＳ情報を記録するからである。
【００２８】
記録中にシーン分割部２０１により層の切り替わりを検出した場合は、従来通りの層の切り替わり後から新たなＶＴＳ２を記録する処理を行う。ここで、ＢＵＰ１の後に、未ファイナライズ状態で追記、再生するためのオリジナル情報ＯＲＧ１を記録するが、このＯＲＧ１に、ＶＯＢ２がＶＯＢ１の続きのデータであることを示す関連シーン情報２０３を記録する。以降は、従来通りの記録処理を行う。
【００２９】
４．ファイナライズ時
４−１．  ＦＳ’情報の作成
次に、ＤＶＤ−Ｖｉｄｅｏフォーマットで記録した場合は、ファイナライズ操作を行う必要がある。これは、ＤＶＤ−Ｖｉｄｅｏ  Ｐｌａｙｅｒで再生可能にするための処理である。ファイナライズ時に前記関連シーン情報を検出した場合の処理について記述する。
【００３０】
通常のファイナライズ処理でＦＳ情報を作成する。この後、ＶＯＢ１とＶＯＢ２を結合させた場合のＦＳ’情報を作成する。
【００３１】
ＦＳ情報は、図４に示す情報のうち、ＵＤＦ  Ｂｒｉｄｇｅ  Ｖｏｌｕｍｅ  Ｓｔｒｕｃｔｕｒｅ、ＩＳＯ  ９６６０  Ｆｉｌｅ  Ｓｔｒｕｃｔｕｒｅ、ＵＤＦ  Ｆｉｌｅ  Ｓｔｒｕｃｔｕｒｅが相当する。このうち、ＶＯＢ１とＶＯＢ２を結合させた状態のデータとする場合は、ＩＳＯ  ９６６０  Ｆｉｌｅ  Ｓｔｒｕｃｔｕｒｅ、ＵＤＦ  Ｆｉｌｅ  Ｓｔｒｕｃｔｕｒｅのディレクトリ構成に関する情報を変更する必要がある。
【００３２】
具体的には、ＶＯＢ１とＶＯＢ２を結合させることにより、ＶＴＳ２が存在しないことになる。また、ＶＴＳ３以降のＶＴＳ番号が１減ること（−１）になる。ＵＤＦ  ＦＩＬＥ  ＳＴＲＵＣＴＵＲＥの場合、図５に示すように、ＶＴＳ＿０３＿０．ＩＦＯ、 ＶＴＳ＿０３＿１．ＶＯＢ、ＶＴＳ＿０３＿０．ＢＵＰの情報を、ＶＴＳ＿０２＿０．ＩＦＯ、 ＶＴＳ＿０２＿１．ＶＯＢ、ＶＴＳ＿０２＿０．ＢＵＰの位置に書き、結合後のＦｉｌｅ  Ｅｎｔｒｙのデータに関して、ＶＩＤＥＯ＿ＴＳ．ＩＦＯ、ＶＩＤＥＯ＿ＴＳ．ＶＯＢ、ＶＩＤＥＯ＿ＴＳ．ＢＵＰについては後述するＶＭＧ’のアドレス情報から算出し、ＶＴＳ＿０１＿１．ＶＯＢについてはＩｎｆｏｒｍａｔｉｏｎ  Ｌｅｎｇｔｈと Ｌｏｇｉｃａｌ  Ｂｌｏｃｋｓ  ＲｅｃｏｒｄｅｄとＡｌｌｏｃａｔｉｏｎ  Ｄｅｓｃｒｉｐｔｏｒｓ内のサイズ情報の値にＶＯＢ２のサイズを加算し、ＶＴＳ＿０１＿０．ＢＵＰについてはＡｌｌｏｃａｔｉｏｎ  Ｄｅｓｃｒｉｐｔｏｒｓ内の開始アドレス情報の値にＶＯＢ２のサイズを加算することで容易にデータを作成することができる。
【００３３】
ＩＳＯ  ９６６０  Ｆｉｌｅ  Ｓｔｒｕｃｔｕｒｅに関しても、同様の考えでアドレスとサイズを変更することで、データを作成することができる。作成したデータを、ＦＳデータの続きに記録する。
【００３４】
４−２．  ＶＭＧ’情報の作成
次に、通常のファイナライズ処理でＶＭＧ情報を作成する。この後、ＶＯＢ１とＶＯＢ２を結合させた場合のＶＭＧ’情報を作成する。
【００３５】
ＶＭＧ情報の構造を、図６に示す。ＶＭＧＩのデータについては、ＶＭＧＩ＿ＭＡＴのＶＴＳの数を１減らし、ＴＴ＿ＳＲＰＴｎｏＴＴ＿ＳＲＰＴＩのタイトルの数（ＴＴ＿ＳＲＰ＿Ｎｓ）を１減らし、ＴＴ＿ＳＲＰＴのＴＴ＿ＳＲＰ＃１のチャプターの数（ＰＴＴ＿Ｎｓ）に関してＴＴ＿ＳＲＰ＃２のチャプターの数（ＰＴＴ＿Ｎｓ）の数を加算し、
ＴＴ＿ＳＲＰＴのＴＴ＿ＳＲＰ＃ｎ（ｎ＜３）のVTS番号情報（ＶＴＳＮ）について１減算し、ＴＴ＿ＳＲＰ＃（ｎ−１）のデータとすることによりデータを作成することができる。
【００３６】
ＶＭＧＩ＿ＶＯＢＳに関しては、タイトルメニューの情報が記録される。通常は、タイトル１（ＶＴＳ１）、タイトル２（ＶＴＳ２）、タイトル３（ＶＴＳ３）…  の順でタイトルを作成することになるが、タイトル２（ＶＴＳ２）を考慮せず、タイトル１（ＶＴＳ１）、タイトル３（ＶＴＳ３）をタイトル２、以下タイトルｎ（ＶＴＳｎ）をタイトルｎ-1として通常の処理を行うことにより、作成することができる。
【００３７】
ＶＭＧＩ＿ＢＵＰに関しては、ＶＭＧＩと同じデータになるので、ＶＭＧ’用に作成したＶＭＧＩ情報を使用する。
【００３８】
以上のようにして作成したＶＭＧ’情報をＶＭＧデータの続きに記録する。
【００３９】
４−３．  ＶＴＳＩ１’情報の作成
次に、ＶＯＢ１とＶＯＢ２を結合させた場合のＶＴＳＩ１’情報を作成する。
【００４０】
ＶＴＳＩ情報の構造を、図７に示す。
ＶＴＳＩのＶＴＳ＿ＰＧＣＩＴｎｏＶＴＳ＿ＰＧＣＩのデータ（図８）については、ＰＧＣ＿ＧＩの再生時間（ＰＧＣ＿ＰＢ＿ＴＭ）情報について、ＶＴＳＩ２の同情報の値を加算し、ＰＧＣ＿ＰＧＭＡＰのエントリされるＣｅｌｌ情報（Ｅｎｔｒｙ  Ｃｅｌｌ  ｎｕｍｂｅｒ）について、ＶＴＳＩ２の同情報を追加し、Ｃ＿ＰＢＩＴの情報について、ＶＴＳＩ２の同情報を追加し、開始アドレス、終了アドレス情報（Ｃ＿ＦＶＯＢＵ＿ＳＡ、Ｃ＿ＦＩＬＶＵ＿ＥＡ、Ｃ＿ＬＶＯＢＵ＿ＳＡ、Ｃ＿ＬＶＯＢＵ＿ＥＡ）についてはＶＯＢ１のサイズ分の値を加算し、ＶＯＢ１とＶＯＢ２はシームレスデータとして扱うので、Ｃ＿ＰＢＩＴのＣ＿ＣＡＴのＳｅａｍｌｅｓｓ  Ｐｌａｙｂａｃｋ  ｆｌｇをＯＮにし、Ｃ＿ＰＯＳＩＴの情報について、ＶＴＳＩ２の同情報を追加すればよい。
【００４１】
ＶＴＳＩのＶＴＳ＿ＴＭＡＰＴのデータ（図９）については、ＶＴＳ＿ＴＭＡＰＴＩのＶＴＳ＿ＴＭＡＰ＿ＮｓはＶＴＳの数にするので１減らし、ＶＴＳ＿ＴＭＡＰのデータはＶＯＢ１にＶＯＢ２のサイズを加えた値でＴｉｍｅ  Ｕｎｉｔの計算を再計算した後エントリ数とマップテーブル値を設定し、また再計算後のエントリの情報からＶＴＳ＿ＴＭＡＰＴＩのＶＴＳ＿ＴＭＡＰＴＩ＿ＥＡを設定すればよい。
【００４２】
ＶＴＳＩのＶＴＳ＿Ｃ＿ＡＤＴのデータ（図１０）については、ＶＴＳ＿Ｃ＿ＡＤＴＩについてＶＯＢ数（ＶＴＳ＿ＶＯＢ＿Ｎｓ）はＶＴＳＩ２の同情報の数だけ加算し、ＶＴＳ＿ＣＰＩについてＶＴＳＩ２のＶＴＳ＿ＣＰＩ＃１の情報を＃２として追加し、追加したＶＴＳ＿ＣＰＩ＃２のＶＴＳ＿ＣＰ＿ＳＡ、ＶＴＳ＿ＣＰ＿ＥＡについてはＶＯＢ１のサイズを加算し、＃２を追加したのでエンドアドレス（ＶＴＳ＿Ｃ＿ＡＤＴＩのＶＴＳ＿Ｃ＿ＡＤＴ＿ＥＡ）もＶＴＳ＿ＣＰＩ分の１２Ｂｙｔｅを加算すればよい。
【００４３】
ＶＴＳＩのＶＴＳ＿ＶＯＢＵ＿ＡＤＭＡＰのデータ（図１１）については、ＶＴＳ＿ＶＯＢＵ＿ＡＤにＶＴＳＩ２の同情報を追加し、ＶＴＳ＿ＶＯＢＵ＿ＡＤ＃２のＶＴＳ＿ＶＯＢＵ＿ＳＡ＃２の値にＶＯＢ１のサイズを加算し、ＶＴＳ＿ＶＯＢＵ＿ＡＤＭＡＰＩについてＶＴＳ＿ＶＯＢＵ＿ＡＤＭＡＰ＿ＥＡは４Ｂｙｔｅ加算すればよい。
【００４４】
以上のようにして、ＶＴＳＩ１の情報に対して、ＶＴＳＩ２内のＶＯＢ２に関する情報をマージすることにより、ＶＴＳＩ１’を容易に作成することができる。
【００４５】
ＶＴＳＩ＿ＢＵＰに関しては、ＶＴＳＩと同じデータになるので、ＶＴＳＩ１’用に作成したＶＴＳＩ情報を使用する。以上のようにして作成したＶＴＳＩ１’情報をＶＭＧ’データの続きに記録する。
【００４６】
５．パソコン接続時の動作
次に、パソコン１０９と接続された場合について述べる。
【００４７】
通常、８ｃｍ  ＤＶＤ−Ｒ  ＤＬ１１４が再生される場合は、ＦＳ情報を用いて、ＶＯＢ１とＶＯＢ２は分割されたシーンとして認識され、再生される。しかしながら、パソコン１０９とＵＳＢで接続され、関連シーン情報２０３を検出した場合、ＦＳ’情報を検索する。ＦＳ’情報を検出した場合、ＦＳ’を使用してディスクをマウントする。すなわち、図３（ｂ）に示したようなアドレスの配置図で、パソコン１０９に認識させる。パソコンからデータをリードする場合の動作について記述する。
【００４８】
パソコン１０９がＦＳ情報をリードするために、アドレス０のリード要求を発行した場合、ＣＰＵ１０４で、リードアドレスを１００に変換し、アドレス１００のデータすなわち、ＦＳ’情報を返送する。同様にして、ＶＴＳＩ１について、アドレス５００はアドレス４００に、ＶＯＢ２について、アドレス９００はアドレス５２００に、ＢＵＰ１について、アドレス１２００は４００に変換して、変換後のアドレスのデータを返送する。ＶＭＧ’情報とＶＯＢ１とＶＴＳＩ３以降の情報については、すでにそのアドレスでＦＳ情報を作成しているため、アドレスを変換する必要はない。
【００４９】
ここで、ＶＯＢ２の情報を返送する際、ＶＯＢ番号が２に変更されているため、ＮＶ＿ＰＣＫ情報に含まれるＶＯＢ番号情報を変更する必要がある。図１２に、ＶＯＢＳの構造を示す。
【００５０】
ＶＯＢ２の情報を返送する場合は、一端ストリームバッファ上にデータを格納する。ここで、ＮＶ＿ＰＣＫ情報を検索し、検出した場合は、ＮＶ＿ＰＡＣＫ内のＤＳＩ情報のＤＳＩ＿ＧＩ内のＶＯＢＵ＿ＶＯＢ＿ＩＤＮの値を１減らす。このように変更したデータをパソコン１０９に返送する。
【００５１】
このようにすることで、パソコン１０９には、１つの連続したシーン情報としてストリームデータを認識させることができる。すなわち、パソコン１０９上で結合処理を行う必要はなくなる。
【００５２】
以上のように本実施の形態においては、結合された状態のデータを作成することにより、パソコンには最初から結合されたストリームデータの内容を返送することとなり、ユーザーはパソコンが読み込んだシーンデータを結合させるための操作を行う必要はなく、１２ｃｍディスク１１５用のデータをパソコン１０９に認識させることができる。
【産業上の利用可能性】
【００５３】
本発明にかかる光ディスク記録再生装置は、やむを得ずシーンを分割せざるを得なかった場合に、ユーザーに特別な操作を行ってもらう必要なく、後にシーンを結合できる機能を有し、映像音声データをリアルタイムに記録する機器において有用である。
【図面の簡単な説明】
【００５４】
【図１】本発明の光ディスク記録再生装置の実施の形態を示すブロック図
【図２】本発明の光ディスク記録再生装置を構成するデータ制御デバイスのブロック図
【図３】実際の記録データのアドレスと外部機器に認識させるアドレスの配置を示した図
【図４】ＤＶＤ−ＲにＶｉｄｅｏ記録した場合のデータフォーマットを示す図
【図５】ＵＤＦ  Ｆｉｌｅ  Ｓｔｒｕｃｔｕｒｅを示す図
【図６】ＶＭＧＩの構造を示す図
【図７】ＶＴＳＩ情報の構造を示す図
【図８】ＰＧＣＩの構造を示す図
【図９】ＶＴＳ＿ＴＭＡＰＴ情報の構造を示す図
【図１０】ＶＴＳ＿Ｃ＿ＡＤＴ情報の構造を示す図
【図１１】ＶＴＳ＿ＶＯＢＵ＿ＡＤＭＡＰ情報の構造を示す図
【図１２】ＶＯＢＳの構造を示す図
【図１３】従来のシーン結合形態を示すブロック図
【符号の説明】
【００５５】
１００  光ディスク記録再生装置
１０１  ＤＶＤドライブ
１０２  ＡＴＡＰＩインターフェース
１０３  ストリームバッファ
１０４  ＣＰＵ
１０５  ＵＳＢコントローラー
１０６  ＵＳＢコントローラー内部Ｂｕｆｆｅｒ
１０７  ＵＳＢバスドライバー
１０８  ＵＳＢコネクタ
１０９  パソコン
１１０  ユーザー
１１１  映像音声入力部（ＣＣＤ、マイク）
１１２  ユーザーインターフェース
１１３  ＭＰＥＧエンコーダー
１１４  ８ｃｍの２層の光ディスク
１１５  １２ｃｍの１層の光ディスク
２００  記録データ  
２０１  シーン分割部
２０２  関連シーン情報記録部
２０３  関連シーン情報
２０４  関連シーン認識結合部
２０５  再生データ
【図１】
2009140594.tif 000003
【図２】
2009140594.tif 000004
【図３】
2009140594.tif 000005
【図４】
2009140594.tif 000006
【図５】
2009140594.tif 000007
【図６】
2009140594.tif 000008
【図７】
2009140594.tif 000009
【図８】
2009140594.tif 000010
【図９】
2009140594.tif 000011
【図１０】
2009140594.tif 000012
【図１１】
2009140594.tif 000013
【図１２】
2009140594.tif 000014
【図１３】
2009140594.tif 000015